(57)【特許請求の範囲】
【請求項１】
火葬されるペットの遺体を載せる移動炉床と、この移動炉床を出し入れ可能に収容する燃焼室とを備えたペット用火葬炉であって、
前記燃焼室は、
前記移動炉床を出し入れする開口と、
前記開口を開閉可能に閉塞する扉と、
前記燃焼室の床面に前記移動炉床の出し入れ方向に転動可能に支持された、前記移動炉床が載置される複数の転動部材と、
前記燃焼室の開口から前記移動炉床が引き出されたときに、前記移動炉床の引出端側が下方側に傾倒しないように、前記移動炉床の姿勢を保持する姿勢保持手段と
を備え、
前記姿勢保持手段は、
前記移動炉床の前記燃焼室側の端部にその移動炉床の出し入れ方向に転動可能に支持された補助転動部材と、
前記燃焼室内における前記補助転動部材の上側に配設された、前記補助転動部材が当接する支持部材と
を有していることを特徴とするペット用火葬炉。
【請求項２】
前記燃焼室における前記移動炉床の下側に形成された空間内に空気を供給する空気供給手段を有している請求項１に記載のペット用火葬炉。
【発明の詳細な説明】
【技術分野】
【０００１】
この発明は、犬や猫等のペットの遺体を火葬するための移動炉床式ペット用火葬炉に関する。
【背景技術】
【０００２】
この種の移動炉床式ペット用火葬炉としては、例えば、特許文献１に開示されたペット類火葬車や特許文献２に開示された火葬炉がある。前者のペット類火葬車は、図７（ａ）、（ｂ）に示すように、自動車の荷台に火葬炉６０を積載したものであり、この火葬炉６０は、煙道（煙突）が接続される排気口６２及び扉６３によって開閉可能な正面開口部６４を有する燃焼室６１と、正面開口部６４を通って燃焼室６１内に出し入れ可能に収容される台車タイプの移動炉床６５と、この移動炉床６５を燃焼室６１の内部から外部へまたは外部から内部へ案内する、荷台に設置された一対のレール６６、６６とを備えている。燃焼室６１は、その底面における移動炉床６５の収容部分が開放されており、一対のレール６６、６６によって案内される移動炉床６５が、燃焼室６１の内部と外部との間を移動できるように、底面が開放された燃焼室６１が一対のレール６６、６６の上部に配設されている。
【０００３】
また、図８（ａ）、（ｂ）に示すように、後者の火葬炉７０は、煙突が接続される排気口７２及び扉７３によって開閉可能な正面開口部７４を有する燃焼室７１と、正面開口部７４を通って燃焼室７１内に出し入れ可能に収容される移動炉床７５と、燃焼室７１内の底面に配設された一対のレール７６、７６とを備えており、移動炉床７５をレール７６、７６に沿ってスライドさせることで、正面開口部７４から移動炉床７５の出し入れを行うようになっている。従って、燃焼室７１に対して移動炉床７５を出し入れする際は、扉７３を開けた状態で、燃焼室７１内のレール７６、７６に繋がる同様の外部レール７７、７７を燃焼室７１の外部にセットする必要がある。
【先行技術文献】
【特許文献】
【０００４】
【特許文献１】実公平６−４１８５号公報
【特許文献２】実用新案登録第３１５３８０９号公報
【発明の概要】
【発明が解決しようとする課題】
【０００５】
ところで、特許文献１に開示された火葬炉６０は、上述したように、底面が開放された燃焼室６１が一対のレール６６、６６の上部に配設されているので、正面開口部６４を扉６３によって閉塞しても、燃焼室６１の下部を完全に閉塞することができず、燃焼室６１内の燃焼ガスが煙道（煙突）から排出されるだけでなく、燃焼室６１の下部から火葬炉６０の外部に漏れ出るおそれがあった。
【０００６】
一方、特許文献２に開示された火葬炉では、燃焼室７１の底面が開放されていないので、燃焼室７１の正面開口部７４を扉７３によって閉塞することにより燃焼室７１の下部を完全に閉塞することができ、燃焼室７１内の燃焼ガスが煙突から確実に排出され、燃焼室７１の下部から外部に漏れ出ることはないが、上述したように、移動炉床７５を出し入れする際に使用する外部レール７７、７７を常時装備しておき、移動炉床７５を出し入れする度毎に外部レール７７、７７をセットしなければならず、火葬作業が繁雑になるといった問題がある。
【０００７】
そこで、この発明の課題は、燃焼室に対して移動炉床を出し入れするために外部レール等を別途使用しなくても、燃焼室の下部を完全に閉塞することができるペット用火葬炉を提供することにある。
【課題を解決するための手段】
【０００８】
上記の課題を解決するため、請求項１に係る発明は、火葬されるペットの遺体を載せる移動炉床と、この移動炉床を出し入れ可能に収容する燃焼室とを備えたペット用火葬炉であって、前記燃焼室は、前記移動炉床を出し入れする開口と、前記開口を開閉可能に閉塞する扉と、前記燃焼室の床面に前記移動炉床の出し入れ方向に転動可能に支持された、前記移動炉床が載置される複数の転動部材と、前記燃焼室の開口から前記移動炉床が引き出されたときに、前記移動炉床の引出端側が下方側に傾倒しないように、前記移動炉床の姿勢を保持する姿勢保持手段とを備え、前記姿勢保持手段は、前記移動炉床の前記燃焼室側の端部にその移動炉床の出し入れ方向に転動可能に支持された補助転動部材と、前記燃焼室内における前記補助転動部材の上側に配設された、前記補助転動部材が当接する支持部材とを有していることを特徴とするペット用火葬炉を提供するものである。
【００１０】
また、請求項２に係る発明は、請求項１に係る発明のペット用火葬炉において、前記燃焼室における前記移動炉床の下側に形成された空間内に空気を供給する空気供給手段を有していることを特徴としている。
【発明の効果】
【００１１】
以上のように、請求項１に係る発明のペット用火葬炉は、燃焼室の床面に移動炉床の出し入れ方向に転動可能に支持された、移動炉床が載置される複数の転動部材と、燃焼室の開口から移動炉床が引き出されたときに、移動炉床の引出端側が下方側に傾倒しないように、移動炉床の姿勢を保持する姿勢保持手段とを備えているので、燃焼室に対して移動炉床を出し入れする際、燃焼室の開口から引き出した移動炉床を燃焼室の外部で支持する外部支持部材を使用する必要がなく、しかも、燃焼室の底面を開放する必要もないので、移動炉床を燃焼室に収容した状態で、その開口を扉によって閉塞すると、燃焼室の下部を完全に閉塞することができ、燃焼ガスが燃焼室の下部から外部に漏れ出ることがない。
【００１２】
また、姿勢保持手段は、移動炉床の燃焼室側の端部にその移動炉床の出し入れ方向に転動可能に支持された補助転動部材と、燃焼室内における補助転動部材の上側に配設された、補助転動部材が当接する支持部材とを有しているので、燃焼室に対して移動炉床を出し入れする際、移動炉床の燃焼室側の端部に支持された補助転動部材が、燃焼室内における補助転動部材の上側に配設された支持部材に当接することで、燃焼室から引き出された移動炉床の姿勢が保持され、しかも、支持部材に当接した状態の補助転動部材が転動しながら、移動炉床が移動するので、移動炉床の移動抵抗が小さく、燃焼室に対する移動炉床の出し入れ作業も円滑かつ容易に行うことができる。
【００１３】
特に、請求項２に係る発明のペット用火葬炉では、空気供給手段によって燃焼室における移動炉床の下側に形成された空間内に供給された空気が常時移動炉床の上側に押し上げられ、移動炉床の周縁部から空気が充分供給されるので、燃焼室の床面に支持された転動部材や移動炉床に支持された補助転動部材が高温の燃焼ガスに晒されにくく、これらの部材を耐熱性仕様にする必要がないので、部材コストを抑えることができると共に、不燃焼ガスが下方に充満することがなく、遺体の脂肪等を確実に燃焼させることができるので、燃焼効率も向上する。
【図面の簡単な説明】
【００１４】
【図１】この発明に係るペット用火葬炉の一実施形態を前後方向に切断した状態を示す概略縦断面図である。
【図２】同上のペット用火葬炉を構成している炉本体の給気ヘッダを示す横断面図である。
【図３】同上のペット用火葬炉を左右方向に切断した状態を示す概略縦断面図である。
【図４】同上の炉本体内の空気の流れを示す図である。
【図５】同上の炉本体における二次燃焼室内の空気の流れを示す図である。
【図６】同上のペット用火葬炉において移動炉床を引き出した状態を示す部分縦断面図である。
【図７】（ａ）、（ｂ）は従来例を示す断面図である。
【図８】（ａ）、（ｂ）は他の従来例を示す断面図である。
【発明を実施するための形態】
【００１５】
以下、実施の形態について図面を参照して説明する。図１〜図６に示すように、このペット用火葬炉１は、炉２と、この炉２に出し入れ可能に収容される移動炉床３とから構成されており、炉２から引き出した移動炉床３に火葬されるペットの遺体Ｐを載せた状態で炉２内に収容して遺体Ｐを火葬するようになっている。
【００１６】
前記炉２は、図１に示すように、相互に連通している一次燃焼室ＣＣ１及び二次燃焼室ＣＣ２を有する炉本体１０と、排気ダクト２１を介して炉本体１０の二次燃焼室ＣＣ２に接続された、開閉蓋２０ａを有する煙突２０と、炉本体１０の一次燃焼室ＣＣ１内に収容された移動炉床３に載せられたペットの遺体Ｐに火炎を放射する一次燃焼バーナー３０Ａ及び一次燃焼室ＣＣ１から二次燃焼室ＣＣ２に送られてくる燃焼排ガスに火炎を放射して高温環境下で再燃焼させる二次燃焼バーナー３０Ｂと、燃焼に必要な空気を、給気管４１を介して、一次燃焼室ＣＣ１及び二次燃焼室ＣＣ２に供給する燃焼空気供給ブロア４０Ａ及び二次燃焼室ＣＣ２内の燃焼排ガスを煙突２０内に引き込むための上昇気流を煙突２０内に積極的に形成すべく、給気ダクト４３を介して、煙突２０の下部に空気を供給する排気ブロア４０Ｂとを備えている。
【００１７】
前記炉本体１０は、ベース部材１０ａと、底面が開放された直方体形状の耐火容器１０ｂとから構成されており、耐火容器１０ｂは、ベース部材１０ａに載置した状態で固定されている。
【００１８】
前記ベース部材１０ａは、図１〜図３に示すように、鉄板によって形成された矩形状の底板１１と、底板１１の前端縁から立ち上がる起立板１２と、鉄製の角パイプを用いてコ字状に形成された内部側に複数の空気吹出孔１３ａを有する給気ヘッダ１３と、底板１１上に配設された、載置した移動炉床３を前後方向に移動可能に支持する複数の鍔付きの支持ローラ１４とを備えており、給気ヘッダ１３は底板１１を取り囲むように底板１１の両側縁及び後端縁に連設され、この給気ヘッダ１３の上に耐火容器１０ｂが載置されている。
【００１９】
前記耐火容器１０ｂは、図１及び図３に示すように、鉄板によって形成された外装板１５ａと、この外装板１５ａの内面を覆う耐火材からなる耐火層１５ｂとから構成されており、連通穴１６ａを有する耐火材からなる隔壁１６で耐熱容器１０ｂ内を上下に区画することで、一次燃焼室ＣＣ１及び二次燃焼室ＣＣ２が形成されていると共に、一次燃焼室ＣＣ１の前面側に移動炉床３を出し入れするための開口１７及びこの開口１７を開閉可能に閉塞する扉１８が設けられている。
【００２０】
前記耐火容器１０ｂの両側部における外装板１５ａの下端部内面には、前後方向に延びる左右一対の鉄製の支持板１９がそれぞれ固定されている。
【００２１】
前記一次燃焼バーナー３０Ａ及び二次燃焼バーナー３０Ｂは、燃料タンクＴから燃料が供給されており、制御盤Ｓによって、一次燃焼室ＣＣ１及び二次燃焼室ＣＣ２の計測温度がそれぞれ設定温度になるように、ＯＮ／ＯＦＦ制御される。
【００２２】
前記燃焼空気供給ブロア４０Ａの吐出空気を供給する給気管４１は、ベース部材１０ａの給気ヘッダ１３に空気を供給する一次燃焼用給気管４１ａと、耐火容器１０ｂの二次燃焼室ＣＣ２における隔壁１６の連通穴１６ａ近傍に空気を供給する二次燃焼用給気管４１ｂとに分岐されており、一次燃焼用給気管４１ａ及び二次燃焼用給気管４１ｂにそれぞれ設けられた風量調整ダンパ４２ａ、４２ｂによって、それぞれの給気量を調整することができるようになっている。
【００２３】
前記移動炉床３は、図１及び図３に示すように、耐火材によって形成されたトレイ状の炉床本体５１と、炉床本体５１に載置される高耐熱ステンレス製のロストル５２とを備えており、炉床本体５１の後面には後方に突出する左右一対の支持部材５３が固定されており、それぞれの支持部材５３には、耐火容器１０ｂの左右一対の支持板１９の下面にそれぞれ当接する補助ローラ５４が取り付けられている。
【００２４】
従って、図６に示すように、扉１８を開けて耐火容器１０ｂの開口１７から移動炉床３を引き出すと、移動炉床３における耐火容器１０ｂの外側部分は支持されないので、引出端側が下方側に傾倒する回転モーメントが働くが、移動炉床３の後端部に設けられた左右一対の補助ローラ５４が耐火容器１０ｂの左右一対の支持板１９の下面に当接しているので、移動炉床３の引出端側が下方側に傾倒するのが阻止され、移動炉床３の姿勢が略水平状態に保持される。
【００２５】
以上のように構成されたペット用火葬炉１は、上述したように、耐火容器１０ｂの開口１７から引き出された移動炉床３の引出端側が下方側に傾倒することなく、略水平状態に保持されるので、一次燃焼室ＣＣ１に対して移動炉床３を出し入れする際、一次燃焼室ＣＣ１の開口１７から引き出した移動炉床３を耐火容器１０ｂの外部で支持する外部支持部材を使用する必要がなく、しかも、一次燃焼室ＣＣ１の底面を開放する必要もないので、移動炉床３を一次燃焼室ＣＣ１に収容した状態で、その開口１７を扉１８によって閉塞すると、一次燃焼室ＣＣ１の下部を完全に閉塞することができ、燃焼ガスが一次燃焼室ＣＣ１の下部から外部に漏れ出ることがない。
【００２６】
特に、支持板１９の下面に当接した状態の補助ローラ５４が転動しながら、移動炉床３が移動するので、移動炉床３の移動抵抗が小さく、耐火容器１０ｂ（一次燃焼室ＣＣ１）に対する移動炉床３の出し入れ作業も円滑かつ容易に行うことができる。
【００２７】
また、このペット用火葬炉１は、図４に矢印で示すように、給気ヘッダ１３の空気吹出孔１３ａから移動炉床３の下側に形成された空間Ｓ内に供給された空気が常時移動炉床３の上側に押し上げられ、移動炉床３の周縁部の隙間から一次燃焼室ＣＣ１に空気が充分供給されるので、ベース部材１０ａの床面に支持された支持ローラ１４や移動炉床３に支持された補助ローラ５４が高温の燃焼ガスに晒されにくく、これらの部材を耐熱性仕様にする必要がないので、部材コストを抑えることができると共に、不燃焼ガスが下方に充満することがなく、遺体Ｐの脂肪等を確実に燃焼させることができるので、燃焼効率も向上する。
【００２８】
なお、上述した実施形態では、鍔付きの支持ローラ１４や補助ローラ５４を使用しているが、これに限定されるものではなく、ボールローラ等の転動部材を使用することも可能であり、鍔付きの支持ローラ１４に代えてボールローラを使用する場合は、移動炉床３の移動方向を規制するガイド部材を設ける必要がある。
【００２９】
また、上述した実施形態では、補助ローラ５４が当接する支持板１９を耐火容器１０ｂの両側部における外装板１５ａに取り付けているが、これに限定されるものではなく、給気ヘッダ１３の上面に取り付けることも可能である。
【００３０】
また、上述した実施形態では、燃焼室を隔壁１６によって一次燃焼室ＣＣ１及び二次燃焼室ＣＣ２に区画し、一次燃焼室ＣＣ１で発生した燃焼排ガスを二次燃焼室ＣＣ２で完全に加熱分解させるようにしているが、これに限定されるものではなく、１つの燃焼室で完全に燃焼させることができるのであれば、必ずしも二次燃焼室を設ける必要はない。
【産業上の利用可能性】
【００３１】
本発明は、ペットの遺体を火葬する際に利用することができる。
【符号の説明】
【００３２】
１  ペット用火葬炉
２  炉
３  移動炉床
１０  炉本体
１０ａ  ベース部材
１０ｂ  耐火容器
１１  底板
１２  起立板
１３  給気ヘッダ
１３ａ  空気吹出孔
１４  支持ローラ（転動部材）
１５ａ  外装板
１５ｂ  耐火層
１６  隔壁
１６ａ  連通穴
１７  開口
１８  扉
１９  支持板（姿勢保持手段：支持部材）
２０  煙突
２０ａ  開閉蓋
２１  排気ダクト
３０Ａ  一次燃焼バーナー
３０Ｂ  二次燃焼バーナー
４０Ａ  燃焼空気供給ブロア（空気供給手段）
４０Ｂ  排気ブロア
４１  給気管（空気供給手段）
４１ａ  一次燃焼用給気管
４１ｂ  二次燃焼用給気管
４２ａ、４２ｂ  風量調整ダンパ
４３  給気ダクト
５１  炉床本体
５２  ロストル
５３  支持部材
５４  補助ローラ（姿勢保持手段：補助転動部材）
ＣＣ１  一次燃焼室
ＣＣ２  二次燃焼室
Ｐ  ペットの遺体
Ｓ  制御盤
Ｔ  燃料タンク
【要約】
【課題】燃焼室に対して移動炉床を出し入れするために外部レール等を別途使用しなくても、燃焼室の下部を完全に閉塞することができるペット用火葬炉を提供する。
【解決手段】火葬されるペットの遺体Ｐを載せる移動炉床３と、この移動炉床３を出入可能に収容する一次燃焼室ＣＣ１及び二次燃焼室ＣＣ２を有する炉本体１０とを備えている。炉本体１０は、移動炉床３を出し入れする開口１７と、開口１７を開閉可能に閉塞する扉１８と、床面に移動炉床３の出入方向に転動可能に支持された、移動炉床３が載置される複数の支持ローラ１４と、移動炉床３の燃焼室側の端部にその移動炉床３の出入方向に転動可能に支持された補助ローラ５４と、一次燃焼室ＣＣ１内における補助ローラ５４の上側に配設された、補助ローラ５４が当接する支持板１９とを備えており、炉本体１０から移動炉床３が引き出されたときに、その引出端側が下方側に傾倒しないようになっている。
【選択図】        図１【図１】
0006759477.tif 000002
【図２】
0006759477.tif 000003
【図３】
0006759477.tif 000004
【図４】
0006759477.tif 000005
【図５】
0006759477.tif 000006
【図６】
0006759477.tif 000007
【図７】
0006759477.tif 000008
【図８】
0006759477.tif 000009